(57)【特許請求の範囲】
【請求項１】
装填位置と取り出し位置との間でディスクを搬送するディスク搬送機構と、
前記装填位置のディスクにデータを記録／再生する記録／再生部と、
前記記録／再生部を収納または出し入れ可能に収納する第１収納部と、前記第１収納部の片側に配置され、前記ディスク搬送機構の一部を収納するとともに、下方に空間を形成するように底面が前記第１収納部よりも上方となる第２収納部と、前記第２収納部の横に配置され、前記第２収納部からはみ出したディスクを収納するとともに、下方に空間を形成するように底面が前記第２収納部よりも上方となる第３収納部とを有するケースと、
を備えることを特徴とするディスク装置。
【請求項２】
前記ディスク搬送機構は、前記ディスクが載せられるディスクトレイと、前記ディスクトレイの両側面を支持して前記ディスクトレイの移動をガイドする一対のレールとを備え、
前記ディスクトレイは、前記第１収納部に出し入れ可能に収納され、前記ディスクを装填位置にセットするために、前記ケースに格納された格納位置と、前記ディスクを取り出し位置にセットするために、前記ケースから引き出した引き出し位置との間で移動し、
前記一対のレールの一方は前記第１収納部に配置され、他方は前記第２収納部に配置されていることを特徴とする請求項１記載のディスク装置。
【請求項３】
前記ディスク搬送機構は、
モータで作動され、前記ディスクの移動方向とほぼ平行に直線移動するローディングスライダと、
前記ローディングスライダに連動して回転し、前面のスロットから挿入された前記ディスクの周縁に当接して、前記装填位置と前記取り出し位置との間で前記ディスクを搬送する複数のアームとを備え、
前記ローディングスライダが前記第２収納部に収納されていることを特徴とする請求項１記載のディスク装置。
【請求項４】
前記第２収納部は、前記ケースの前面から後面まで延びていることを特徴とする請求項１ないし３いずれか１つ記載のディスク装置。
【請求項５】
前記ケースは、前記第１収納部、第２収納部、第３収納部が設けられたケース本体と、前記ケース本体に固定され、前記ケース本体を覆う上カバーとを備えることを特徴とする請求項１ないし４いずれか１つ記載のディスク装置。
【発明の詳細な説明】
【技術分野】
【０００１】
本発明は、ディスク装置に関するものである。
【背景技術】
【０００２】
ディスク装置は、ターンテーブルに装着されたディスクをスピンドルモータで回転させながら、スレッドモータでピックアップヘッドを移動して、ディスクにデータを高密度で記録したり、あるいはディスクのデータを読み出して再生する。このディスク装置は、電子機器、例えばパソコン本体等に内蔵されたり、あるいは外付けされて用いられる。
【０００３】
ディスク装置は、ケース前面に設けられたスロットからディスクを装填するスロットインタイプや、ディスクトレイを介してディスクを装填するトレイタイプがある。スロットインタイプのディスク装置では、ケース内部に記録／再生部が収納され、ケース前面のスロットからディスクを挿入する。トレイタイプのディスク装置では、ディスクトレイに記録／再生部が搭載されている。ディスクトレイは、ケース内部に格納される格納位置と、ケースから引き出された引出し位置との間で移動可能であり、引出位置に位置するディスクトレイにディスクを載せた後、ディスクトレイを格納位置に移動する。
【０００４】
ノートパソコンは、全体の小型化を図るために、ディスク装置の小型化が求められている。従来のディスク装置としては、特許文献１に示すように、ディスクトレイの片側をディスクの一部がはみ出すように切り欠いた形状に形成し、ケース本体を、収納部とカバー部とから構成し、このカバー部の下方に空間を形成することで、この空間内に他の部品が配置できるようにして、省スペース化を図っている。収納部は、格納位置に移動したディスクトレイ、及びディスクトレイの移動をガイドする１対のレールを収納し、カバー部は、収納部の片側からはみ出したディスクを覆っている。
【先行技術文献】
【特許文献】
【０００５】
【特許文献１】特許第２９５６４７０号公報
【発明の概要】
【発明が解決しようとする課題】
【０００６】
特許文献１記載のディスク装置に対してさらなる省スペース化の要求がある。これに対して、下方に空間が形成されるカバー部の幅を広げて、代わりに収納部の幅を狭めることが考えられている。収納部の両側には、ディスクトレイの移動をガイドする右側及び左側の１対のレールが配されている。また、ピックアップヘッドを移動させるリードスクリューをスピンドルモータの右側に配置することが一般的であることから、リードスクリューを駆動するスレッドモータも、ディスクを回転するスピンドルモータの中心よりも右側に配されており、右側のレールは、収納部のカバー部に連なる右側壁とスレッドモータとの間に配されているから、収納部の幅を狭めると、右側壁とスレッドモータとの間の隙間が小さくなって、右側レールを配することができなくなる。
【０００７】
また、スピンドルモータによるピックアップヘッドの移動方向を変えることで、スレッドモータを右側壁から離して、右側レールを配するスペースを確保することが考えられる。しかし、ディスク装置の横幅を維持したまま、ピックアップヘッドの移動方向を変えると、記録／再生部が従来よりも後方に長くなるため、ディスク装置が奥行き方向に大きくなってしまう。
【０００８】
本発明は、上記課題を解決するためになされたものであり、省スペース化することができるディスク装置を提供することを目的とする。
【課題を解決するための手段】
【０００９】
上記目的を達成するために、本発明のディスク装置は、装填位置と取り出し位置との間でディスクを搬送するディスク搬送機構と、前記装填位置のディスクにデータを記録／再生する記録／再生部と、前記記録／再生部を収納または出し入れ可能に収納する第１収納部と、前記第１収納部の片側に配置され、前記ディスク搬送機構の一部を収納するとともに、下方に空間を形成するように底面が前記第１収納部よりも上方となる第２収納部と、前記第２収納部の横に配置され、前記第２収納部からはみ出したディスクを収納するとともに、下方に空間を形成するように底面が前記第２収納部よりも上方となる第３収納部とを有するケースと、を備えることを特徴とする
【００１０】
また、前記ディスク搬送機構は、前記ディスクが載せられるディスクトレイと、前記ディスクトレイの両側面を支持して前記ディスクトレイの移動をガイドする一対のレールとを備え、前記ディスクトレイは、前記第１収納部に出し入れ可能に収納され、前記ディスクを装填位置にセットするために、前記ケースに格納された格納位置と、前記ディスクを取り出し位置にセットするために、前記ケースから引き出した引き出し位置との間で移動し、前記一対のレールの一方は前記第１収納部に配置され、他方は前記第２収納部に配置されていることが好ましい。
【００１１】
さらに、前記ディスク搬送機構は、モータで作動され、前記ディスクの移動方向とほぼ平行に直線移動するローディングスライダと、前記ローディングスライダに連動して回転し、前面のスロットから挿入された前記ディスクの周縁に当接して、前記装填位置と前記取り出し位置との間で前記ディスクを搬送する複数のアームとを備え、前記ローディングスライダが前記第２収納部に収納されていることが好ましい。
【００１２】
また、前記第２収納部は、前記ケースの前面から後面まで延びていることが好ましい。
【００１３】
さらに、前記ケースは、前記第１収納部、第２収納部、第３収納部が設けられたケース本体と、前記ケース本体に固定され、前記ケース本体を覆う上カバーとを備えることが好ましい。
【発明の効果】
【００１４】
本発明によれば、記録／再生部を収納または出し入れ可能に収納する第１収納部と、ディスクの一部を収納する第３収納部との間に、ディスク搬送機構の一部を収納する第２収納部を設けることによって、ディスク装置の省スペース化を図ることで、従来のディスク装置と平面的な互換性を保ちつつ、ケースの下面に、他の部品が配置可能な階段状の広い空間を形成することができる。
【図面の簡単な説明】
【００１５】
【図１】本発明のディスク装置を備えたノート型パソコンの外観図である。
【図２】第１実施形態のディスク装置を示す斜視図である。
【図３】第１実施形態のディスク装置を示す底面斜視図である。
【図４】第１実施形態のディスク装置を示す平面図である。
【図５】第１実施形態のディスク装置を示す底面図である。
【図６】第１実施形態のディスク装置を示す正面図である。
【図７】第１実施形態のディスク装置を示す背面図である。
【図８】第１実施形態のディスク装置を示す右側面図である。
【図９】第１実施形態のディスク装置を示す左側面図である。
【図１０】上カバーを取り外した状態でトレイユニットが引出し位置にあるときのディスク装置を示す斜視図である。
【図１１】ケース本体と右ガイドレールと右スライドレールとを分解した状態を示す斜視図である。
【図１２】ケース本体内部を示す断面図である。
【図１３】記録／再生ユニットの向きを変えた第２実施形態のディスク装置を示す斜視図である。
【図１４】第２実施形態のディスク装置を示す底面斜視図である。
【図１５】上カバーを取り外した状態でトレイユニットが引出し位置にあるときの第２実施形態のディスク装置を示す斜視図である。
【図１６】第２実施形態のケース本体を示す斜視図である。
【図１７】第２実施形態のケース本体内部を示す断面図である。
【図１８】スロットインタイプの第３実施形態のディスク装置を示す斜視図である。
【図１９】第３実施形態のディスク装置を示す底面斜視図である。
【図２０】第３実施形態のディスク装置を示す平面図である。
【図２１】第３実施形態のディスク装置を示す底面図である。
【図２２】第３実施形態のディスク装置を示す正面図である。
【図２３】第３実施形態のディスク装置を示す背面図である。
【図２４】第３実施形態のディスク装置を示す右側面図である。
【図２５】第３実施形態のディスク装置を示す左側面図である。
【図２６】第３実施形態のディスク装置の内部を示す斜視図である。
【図２７】第３実施形態のディスク装置の内部を示す平面図である。
【図２８】第３実施形態のディスク装置の内部を示す底面図である。
【図２９】第３実施形態のケース本体とローディングスライダとを示す斜視図である。
【図３０】１段の段差形状のフロントベゼルを有するトレイタイプの第４実施形態のディスク装置を示す斜視図である。
【図３１】第４実施形態のディスク装置を示す底面斜視図である。
【図３２】第４実施形態のディスク装置を示す平面図である。
【図３３】第４実施形態のディスク装置を示す底面図である。
【図３４】第４実施形態のディスク装置を示す正面図である。
【図３５】第４実施形態のディスク装置を示す背面図である。
【図３６】第４実施形態のディスク装置を示す右側面図である。
【図３７】第４実施形態のディスク装置を示す左側面図である。
【図３８】フラットなフロントベゼルを有するトレイタイプの第５実施形態のディスク装置を示す斜視図である。
【図３９】第５実施形態のディスク装置を示す底面斜視図である。
【図４０】第５実施形態のディスク装置を示す平面図である。
【図４１】第５実施形態のディスク装置を示す底面図である。
【図４２】第５実施形態のディスク装置を示す正面図である。
【図４３】第５実施形態のディスク装置を示す背面図である。
【図４４】第５実施形態のディスク装置を示す右側面図である。
【図４５】第５実施形態のディスク装置を示す左側面図である。
【図４６】１段の段差形状のフロントベゼルを有するスロットインタイプの第６実施形態のディスク装置を示す斜視図である。
【図４７】第６実施形態のディスク装置を示す底面斜視図である。
【図４８】第６実施形態のディスク装置を示す平面図である。
【図４９】第６実施形態のディスク装置を示す底面図である。
【図５０】第６実施形態のディスク装置を示す正面図である。
【図５１】第６実施形態のディスク装置を示す背面図である。
【図５２】第６実施形態のディスク装置を示す右側面図である。
【図５３】第６実施形態のディスク装置を示す左側面図である。
【図５４】フラットなフロントベゼルを有するスロットインタイプの第７実施形態のディスク装置を示す斜視図である。
【図５５】第７実施形態のディスク装置を示す底面斜視図である。
【図５６】第７実施形態のディスク装置を示す平面図である。
【図５７】第７実施形態のディスク装置を示す底面図である。
【図５８】第７実施形態のディスク装置を示す正面図である。
【図５９】第７実施形態のディスク装置を示す背面図である。
【図６０】第７実施形態のディスク装置を示す右側面図である。
【図６１】第７実施形態のディスク装置を示す左側面図である。
【発明を実施するための最良の形態】
【００１６】
［第１実施形態］
図１において、ノート型パソコン３は、ディスク装置２がパソコン本体３ａに組み込まれている。ディスク装置２は、ディスク４が装着されるトレイユニット５と、このトレイユニット５の前面に取り付けられたフロントベゼル６とを備える。本発明の第１実施形態の外観を示す図２〜図９において、ディスク装置２は、トレイユニット５を出し入れ可能にするケース９を備える。
【００１７】
ケース９は、ケース本体７及び上カバー８から構成されている。上カバー８は、ビス１０ａ〜１０ｄによりケース本体７に固定されている。フロントベゼル６は、イジェクトボタン６ａと、ディスク装置２の動作状態を表示するためのインジケータ６ｂと、緊急時に操作ピン（図示せず）を挿入することでトレイユニット５のロックを解除するためのエマージェンシ孔６ｃとが設けられている。また、ケース本体７は、２段の段差が形成されており、フロントベゼル６も、ケース本体７の形状に沿って２段の段差が形成されている。
【００１８】
図１０及び図１１に示すように、ケース本体７の両側には、左ガイドレール１１（図１２参照）、右ガイドレール１２が取り付けられている。左ガイドレール１１及び右ガイドレール１２には、左スライドレール１３及び右スライドレール１４が、スライド自在に取り付けられている。右ガイドレール１２には、右スライドレール１４の前方に向けたスライドを規制する突起１２ａが形成されている。同様に、突起１４ａが形成されている。左ガイドレール１１及び左スライドレール１３は、右ガイドレール１２及び右スライドレール１４と同様に構成されている。
【００１９】
トレイユニット５は、各スライドレール１３，１４に対して移動自在に支持されており、ケース９内部に格納されてディスク４を装填位置にセットするための格納位置（図２参照）と、ケース９から引き出されてディスク４を取り出し位置にセットするための引出し位置（図１０参照）との間で移動する。右スライドレール１４には、トレイユニット５の前方に向けた移動を規制する突起１４ｂが形成されている。左スライドレール１３は、右スライドレール１４と同様に構成されている。
【００２０】
トレイユニット５は、ディスク４が載せられるディスクトレイ１７と、ディスク４にデータを記録／再生する記録／再生ユニット１８とを備える。ディスクトレイ１７は、左側面に左スライドレール１３に挿入されて移動自在に支持される左凸条部１７ａが形成され、右側面に右スライドレール１４に挿入されて移動自在に支持される右凸条部１７ｂが形成されている。また、各凸条部１７ａ，１７の後端部には、前方に移動したときに各スライドレール１３，１４の突起１４ｂに当接する突起が形成されている。
【００２１】
記録／再生ユニット１８は、ピックアップヘッド１９と、ディスク４を回転させるスピンドルモータ２０とを備える。ピックアップヘッド１９は、ディスク４の半径方向に移動自在に設けられ、スレッドモータ２４により移動する。ディスクトレイ１７には、ディスク４の半径方向に延びた開口２１が形成されたカバープレート２２がネジ２３ａ，２３ｂにより固定されている。ピックアップヘッド１９は、この開口２１を通してディスク４にアクセスし、回転中のディスク４にデータを記録／再生する。スレッドモータ２４は、カバープレート２２に形成された開口２２ａから露出する。
【００２２】
スピンドルモータ２０は、ディスクトレイ１７に取り付けられている。スピンドルモータ２０のハウジングが、ターンテーブル２６と兼用されている。このターンテーブル２６には、チャッキングヘッド２７が一体に形成されている。ディスク４をディスクトレイ１７に載せてから押し込むと、ディスク４のディスク孔４ａ（図１参照）がチャッキングヘッド２７に嵌合され、ディスク４がターンテーブル２６上に保持される。チャッキングヘッド２７には、バネで付勢された複数のチャッキング爪２７ａが設けられている。このチャッキング爪２７ａにより、ディスク４は着脱可能に係止される。
【００２３】
ディスクトレイ１７には、トレイユニット５をイジェクトするためのイジェクトシャフト２８が、前後方向に移動自在に設けられている。このイジェクトシャフト２８は、コイルバネ（図示せず）に挿通されている。トレイユニット５が格納位置に向けて移動すると、イジェクトシャフト２８の後端がケース本体７の後側内壁に当接し、イジェクトシャフト２８は、コイルバネを圧縮しながら前方に移動する。これにより、トレイユニット５が格納位置でロックされると、コイルバネが蓄勢された状態となり、トレイユニットのロックが解除されると、コイルバネによってイジェクトシャフト２８がトレイユニット５を引出し位置に向けて押圧する。
【００２４】
ディスクトレイ１７には、ピックアップヘッド１９、スピンドルモータ２０及びスレッドモータ２４の駆動を制御する駆動制御基板（図示せず）が設けられており、この駆動制御基板は、フレキシブル基板２９により制御基板３０に接続されている。この制御基板３０には、外部機器との接続用のコネクタ３７が設けられている。
【００２５】
図１０〜図１２に示すように、ケース本体７は、トレイユニット５を収納するトレイユニット収納部３１と、このトレイユニット収納部３１の横に位置し、右ガイドレール１２及び右スライドレール１４を収納するレール収納部３２と、このレール収納部３２の横に位置し、各収納部３１，３２からはみ出したディスク４を収納するディスク収納部３３とを備えている。レール収納部３２は、下方にスペースを確保し、パソコン本体３ａに組み込まれる他の部品を配置可能にするために、トレイユニット収納部３１よりも底面が例えば２．５ｍｍ上がっている。ディスク収納部３３も、スペースを確保するために、レール収納部３２よりも底面が例えば２．１ｍｍ（全体では４．６ｍｍ）上がっている。この実施形態では、レール収納部３２の下方に形成された空間には、例えば、パソコン本体３ａの側面に形成されたカードスロット（図示せず）から挿入されたＰＣカード３５が装填されるＰＣカードリーダ３５ａが配されている。なお、トレイユニット収納部３１の厚み（高さ寸法）は、例えば９．５ｍｍである。
【００２６】
トレイユニット収納部３１は、四角形をした底部３１ｄを囲むように、左側壁３１ａと、後端壁３１ｂと、右側壁３１ｃとが形成されている。トレイユニット収納部３１の前側は開口しており、トレイユニット５の出し入れを可能にしている。左側壁３１ａは、上カバー８を支持するために上部が直角に折り曲げられて、断面がＬ字形をしている。後端壁３１ｂには、コネクタ３７が挿通される切欠き３１ｅが形成されている。右側壁３１ｃは、レール収納部３２の底部３２ａに連なっている。
【００２７】
レール収納部３２は、底部３２ａと、この底部３２ａから垂直に起立した側壁３２ｂと、後端壁３２ｃとを有する。側壁３２ｂは、後端部だけが高く、残り部分は高さが低く、そのままディスク収納部３３の底部３３ａに連なっている。後端壁３２ｃは、後端壁３１ｂに連なっている。側壁３２ｂの後端部の一部であって、後端壁３２ｃとの角に位置する部分は、上カバー８を支持するために上部が直角に折り曲げられている。
【００２８】
ディスク収納部３３は、底部３３ａと、この底部３３ａから垂直に起立した側壁３３ｂとを有する。側壁３３ｂは、後側の一部が切り欠かれている。また、側壁３３ｂの一部は、上カバー８を支持するために上部が直角に折り曲げられている。ケース本体７の底面は、各収納部３１〜３３により、２回折り曲げ加工されているから、底面がフラットなものや１回折り曲げ加工された底面のものに比べて、強度が増すため、ディスク装置２をパソコン本体３ａに組み込む際に、ケース９の撓みを軽減することができる。
【００２９】
トレイユニット収納部３１の折り曲げ部、レール収納部３２の折り曲げ部、ディスク収納部３３の折り曲げ部には、４本のビス１０ａ〜１０ｄ（図２参照）がそれぞれ螺合するネジ孔３４ａ〜３４ｄが形成されている。上カバー８は、ケース本体７のトレイユニット収納部３１、レール収納部３２、ディスク収納部３３を覆う形状をしている。上カバー８は、前側を除いた周囲が下方に折り曲げられており、上カバー８をケース本体７に取り付けたときに、ケース本体７の左側壁３１ａ、後端壁３１ｂ、後端壁３２ｃ及び側壁３３ｂの上部の外側に重なる。
【００３０】
次に、ディスク装置２の作用について説明する。ディスク４を装填するとき及び取り出すときには、トレイユニット５を引出し位置まで移動して行う。チャッキングヘッド２７にディスク４を装着してからフロントベゼル６を押圧すると、各ガイドレール１１，１２にガイドされて、ディスクトレイ１７が各スライドレール１３，１４と一緒に後方に向けて移動する。ディスクトレイ１７が格納位置に移動すると、ディスク４は装填位置にセットされ、そこで、トレイユニット５はケース９内に格納された状態でロックされる。ディスク４の回転中に、ピックアップヘッド１９は、ディスク４の半径方向に移動しながら、ディスク４にデータを記録／再生する。
【００３１】
トレイユニット５を引出し位置に引き出すときには、フロントベゼル６に設けられたイジェクトボタン６ａを押す。イジェクトボタン６ａを押すと、トレイユニット５は、ロックが解除されてから、イジェクトバネの付勢により１０ｍｍ程度突出する。次に、フロントベゼル６を指でつまんでディスクトレイ１７を前方に移動する。各スライドレール１３，１４は、ディスクトレイ１７と一緒に移動し、各スライドレール１３，１４の突起１４ａが各ガイドレール１１，１２の突起１２ａに当接してスライドが禁止される。この状態から、さらにディスクトレイ１７を前方に移動して図１及び図１０に示す引出し位置まで引き出すと、ディスクトレイ１７は、各スライドレール１３，１４の突起１４ｂに当接して移動が規制される。
【００３２】
図１２に示すように、ディスク装置２の下方には、ＰＣカードリーダ３５ａが配置され、一部がレール収納部３２の下方に入り込んでいる。ＰＣカードリーダ３５ａには、ＰＣカード３５が装填される。レール収納部３２が存在しない場合は、ＰＣカードリーダ３５ａが図１２において右側または下側に出っ張るから、パソコン本体３ａが大型化することになる。なお、レール収納部３２の下方には、ＰＣカードリーダ３５ａに限らず、各種部品を配置することができ、いずれをレール収納部３２の下方に配置した場合にも、パソコン本体３ａの大型化が抑制される。
【００３３】
また、図１２に示すように、左ガイドレール１１及び左スライドレール１３は、左右方向よりも上下方向に長くディスクトレイ１７の左凸条部１７ａを支持するように縦向きに配されており、右ガイドレール１２及び右スライドレール１４は、上下方向よりも左右方向に長くディスクトレイ１７の右凸条部１７ｂを支持するように横向きに配されているから、ディスクトレイ１７の移動時の上下方向及び左右方向のガタつき、特にディスクトレイ１７を引き出すときのガタつきが防止される。
【００３４】
［第２実施形態］
図１３〜図１７に示す第２実施形態のディスク装置４０は、第１実施形態に対してピックアップヘッド１９の移動方向を変えたものである。なお、第１実施形態のものと同様の構成部材には同一の符号を付し、その詳細な説明を省略する。
【００３５】
ディスク装置４０は、トレイユニット４１と、ケース４２とを備える。ケース４２は、ケース本体４３及び上カバー４４から構成され、四角形をしている。上カバー４４は、ビス４５ａ〜４５ｄによりケース本体４３に固定されている。トレイユニット４１の前面には、フロントベゼル４６が取り付けられている。このフロントベゼル４６には、イジェクトボタン４６ａ、インジケータ４６ｂ、エマージェンシ孔４６ｃが設けられている。
【００３６】
トレイユニット４１は、ディスクトレイ４８と、記録／再生ユニット１８とを備える。ディスクトレイ４８は、左凸条部４８ａ及び右凸条部４８ｂが形成されている。ディスクトレイ４８には、開口２１がスピンドルモータ２０の中心から左後方向に延びるように、カバープレート２２が固定されている。スレッドモータ２４は、スピンドルモータ２０の中心よりも左側に配されている。
【００３７】
ケース本体４３は、トレイユニット収納部５１、レール収納部５２、ディスク収納部５３を備えている。レール収納部５２は、トレイユニット収納部３１よりも底面が例えば２．５ｍｍ上がっている。ディスク収納部５３は、レール収納部５２よりも底面が例えば２．１ｍｍ上がっている。レール収納部５２の下方に形成された空間には、例えば、ＰＣカードリーダ３５ａが配置される。なお、トレイユニット収納部５１の厚み（高さ寸法）は、例えば９．５ｍｍである。
【００３８】
トレイユニット収納部５１は、底部５１ｆを囲むように、左側壁５１ａ、後端壁５１ｂ、右後側壁５１ｃ、右前側壁５１ｄ、右後側壁５１ｃ及び右前側壁５１ｄを連結する連結壁５１ｅが形成されている。左側壁５１ａは、断面がＬ字形をしている。後端壁５１ｂには、コネクタ３７が挿通される挿通凹部５１ｇが形成されている。このコネクタ３７は、後端壁５１ｂと連結壁５１ｅとの間に配される。右前側壁５１ｄは、レール収納部５２の底部５２ａに連なっている。連結壁５１ｅは、底部５２ａ及びディスク収納部５３の底部５３ａに連なっている。後端壁５１ｂの右端部は、上部が直角に折り曲げられている。
【００３９】
レール収納部５２は、底部５２ａと側壁５２ｂとを有する。ディスク収納部５３は、底部５３ａと側壁５３ｂとを有する。
【００４０】
ケース本体４３には、ビス４５ａ〜４５ｄがそれぞれ螺合するネジ孔５４ａ〜５４ｄが形成されている。上カバー４４は、ケース本体４３の各部５１〜５３を覆う形状をしており、上カバー４４をケース本体４３に取り付けたときに、ケース本体４３の左側壁５１ａ、後端壁５１ｂ、右後側壁５１ｃ及び側壁５３ｂの外側に重なる。
【００４１】
スレッドモータ２４は、スピンドルモータ２０の中心よりも左側に配されているから、スレッドモータ２４がスピンドルモータ２０の中心よりも右側に配されたものに比べて、レール収納部５２の横幅が広がり、レール収納部５２の下方に形成される空間が広くなる。これにより、その空間の使用用途が広がる。
【００４２】
［第３実施形態］
図１８〜図２９に示す第３実施形態は、スロットインタイプのディスク装置６０に本発明を実施したものである。なお、第１実施形態のものと同様の構成部材には同一の符号を付し、その詳細な説明を省略する。
【００４３】
第３実施形態の外観を示す図１８〜図２５において、ディスク装置６０は、ケース６１を備え、その前面にフロントベゼル６２が取り付けられている。このフロントベゼル６２には、ディスク４を挿入するスロット６２ａと、イジェクトボタン６２ｂと、インジケータ６２ｃと、エマージェンシ孔６２ｄとが設けられている。
【００４４】
ケース６１は、ケース本体６５と、このケース本体６５に取り付けられる上カバー６６とから構成されている。上カバー６６は、ビス６３ａ〜６３ｄによりケース本体６５に固定されている。
【００４５】
上カバー６６の上面内壁のほぼ中央部分には、突出部が設けられている。この上カバー６６の突出部は、ディスク４のチャッキング時にディスク４を受け止める。
【００４６】
図２６及び図２７において、ケース６１を上下に仕切るように、ベースパネル６７が固定されている。このベースパネル６７には、中央から斜め方向に延びた開口６７ａが形成されている。この開口６７ａ内には、昇降フレーム６８が配置され、周知の緩衝支持構造６９により複数箇所でベースパネル６７に取り付けられている。ディスク４をケース６１へ搬入または搬出するときに、昇降フレーム６８は、フロントフロントベゼル６２側を支軸とし、装置中央に位置する先端部が上下方向に揺動する。また、昇降フレーム６８には、中央から斜め方向に延びた開口６８ａが形成されている。
【００４７】
昇降フレーム６８の先端には、記録／再生ユニット７０が取り付けられている。この記録／再生ユニット７０は、スピンドルモータ７１、ターンテーブル７２、チャッキングヘッド７３、ピックアップヘッド７４を備えている。スピンドルモータ７１は、昇降フレーム６８の背面に固定され、回転可能なハウジングが、ターンテーブル７２と兼用されている。チャッキングヘッド７３は、ターンテーブル７２上に取り付けられており、昇降フレーム６８が上昇したときに、チャッキング位置にあるディスク４のディスク孔４ａに入り込む。チャッキングヘッド７３には、バネで付勢された複数のチャッキング爪７３ａが設けられており、ディスク４を着脱可能に係止する。チャッキング解除ピン７５は、昇降フレーム６８が下降するときに、ディスク４を受け止めてチャッキングヘッド７３から外す。
【００４８】
ピックアップヘッド７４は、昇降フレーム６８の開口６８ａから露出したキャリッジ７８に保持されている。情報の記録／再生時には、キャリッジ７８が開口６８ａに沿って移動する。
【００４９】
ベースパネル６７上には、ディスク４の搬入及び搬出を行うためのディスク支持アーム８０と、スロット６２ａから挿入されたディスク４をケース６１内へ搬入するための誘引アーム８１とが配置されている。このディスク支持アーム８０は、ホルダ８０ａでディスク４の前端部を保持し、軸８２を中心にして揺動する。誘引アーム８１は、フランジ付ローラ８１ａでディスク４の後端部を保持し、軸８３を中心にして揺動する。この誘引アーム８１を揺動させるために、リンクレバー８４が連結されている。このリンクレバー８４は、ピン８４ａがカム溝８５に沿って移動する。
【００５０】
なお、図２７には、ディスク４が取り出し位置にある場合、ディスク４が自動搬入の開始位置にある場合、ディスク４がチャッキング完了後の装填位置にある場合がそれぞれ示されている。
【００５１】
図２８において、ピックアップヘッド７４を保持したキャリッジ７８は、ガイドシャフト８７，８８に支持されている。これらのガイドシャフト８７，８８は、その両端が昇降フレーム６８の背面に固定されている。スレッドモータ８９の回転は、ギアトレイン９０を介して、スクリュシャフト９１に伝達される。このスクリュシャフト９１の回転により、キャリッジ７８が前進／後退する。
【００５２】
ベースパネル６７の背面には、ローディングモータ９４が配置され、このローディングモータ９４の回転が、ギアトレイン９５を介してディスク搬送機構９６に伝達され、ディスク４の搬入又は搬出が行われる。ディスク搬送機構９６の主要部は、ローディングスライダ９７、ディスク支持アーム８０、誘引アーム８１である。
【００５３】
前記ローディングスライダ９７は、端部に形成したラックギア９７ａがギアトレイン９５の最終段のギアに噛合しており、ローディングモータ９４の回転により、ケース６１の側壁に沿って前進／後退する。ローディングスライダ９７がフロントベゼル６２から離れる方向に移動（後退）するときに、ディスク４がケース６１内に搬入され、前進するときにケース６１から搬出される。
【００５４】
ローディングスライダ９７は、リンクレバー８４のピン８４ａを押すためのカム溝９７ｂと、リンクレバー９８を作動させるためのカム溝９７ｃとが形成されている。カム溝９７ｂは横方向に延びており、ピン８４ａをローディングスライダ９７の移動方向に押すことにより、ピン８４ａをカム溝８５に沿って移動させる。また、ローディングスライダ９７の側面には、昇降フレーム６８を昇降するためのカム溝（図示せず）が形成されている。
【００５５】
リンクレバー９８は、ピン９８ａがローディングスライダ９７のカム溝９７ｃに嵌合しており、ローディングスライダ９７が移動するときに、軸９９を中心にして回転する。このリンクレバー９８は、リンクアーム１００を介してベース部８０ｂと連結されている。このベース部８０ｂは、ベースパネル６７の表面に配置されたディスク支持アーム８０と、軸８２で一体的に連結されている。ベース部８０ｂの周囲に、スイッチ９２が配置されており、ディスク４の押し込みでディスク支持アーム８０が回転されたときにＯＮする。このスイッチ９２からの信号で、制御回路（図示せず）はローディングモータ９４を回転させ、ディスク４の自動搬入を開始する。
【００５６】
前記リンクアーム１００は、第１アーム１００ａと、この第１アーム１００ａに対してスライド可能に連結された第２アーム１００ｂと、これらのアーム１００ａ，１００ｂを最短状態に保つためのバネ１００ｃとから構成されている。このスライド可能なリンクアーム１００により、ディスク４がユーザによってケース６１内に押し込まれている間、すなわち自動搬入が開始されるまで、リンクレバー９８を作動させることなく、ディスク支持アーム８０が揺動可能となる。
【００５７】
図２９に示すように、ケース本体６５は、記録／再生ユニット７０を収納する記録／再生ユニット収納部１０１と、この記録／再生ユニット収納部１０１の横に位置し、ディスク搬送機構９６の一部であるローディングスライダ９７を収納するスライダ収納部１０２と、このスライダ収納部１０２の横に位置し、各収納部１０１，１０２からはみ出したディスク４を収納するディスク収納部１０３とを備えている。スライダ収納部１０２は、下方にスペースを確保し、他の部品を配置可能にするために、記録／再生ユニット収納部１０１よりも底面が例えば２．５ｍｍ上がっている。ディスク収納部１０３も、スペースを確保するために、スライダ収納部１０２よりも底面が例えば２．１ｍｍ上がっている。スライダ収納部１０２の下方に形成された空間には、例えば、ＰＣカードリーダ（図示せず）が配置される。なお、記録／再生ユニット収納部１０１の厚み（高さ寸法）は、例えば９．５ｍｍである。
【００５８】
記録／再生ユニット収納部１０１は、四角形をした底部１０１ｄを囲むように、左側壁１０１ａと、後端壁１０１ｂと、右側壁１０１ｃとが形成されている。記録／再生ユニット収納部１０１の前側は開口しており、ディスク４の出し入れを可能にしている。左側壁１０１ａの後端部は、上カバー６６を支持するために上部が直角に折り曲げられて、断面がＬ字形をしている。後端壁１０１ｂには、コネクタ３７が挿通される挿通孔１０１ｅが形成されている。右側壁１０１ｃは、スライダ収納部１０２の底部１０２ａに連なっている。
【００５９】
スライダ収納部１０２は、底部１０２ａと、この底部１０２ａから垂直に起立した側壁１０２ｂと、後端壁１０２ｃとを有する。側壁１０２ｂは、後端部だけが高く、残り部分は高さが低く、そのままディスク収納部１０３の底部１０３ａに連なっている。側壁１０２ｂの後端部の一部であって、後端壁１０２ｃとの角に位置する部分は、上カバー６６を支持するために上部が直角に折り曲げられている。後端壁１０２ｃは、記録／再生ユニット収納部１０１の後端壁１０１ｂに連なっている。
【００６０】
ディスク収納部１０３は、底部１０３ａと、この底部１０３ａから垂直に起立した側壁１０３ｂとを有する。側壁１０３ｂは、後側の一部が切り欠かれている。側壁１０３ｂの一部は、上カバー６６を支持するために上部が折り曲げられている。
【００６１】
記録／再生ユニット収納部１０１の折り曲げ部、スライダ収納部１０２の折り曲げ部、ディスク収納部１０３の折り曲げ部には、３本のビス６３ａ〜６３ｄがそれぞれ螺合するネジ孔１０４ａ〜１０４ｄが形成されている。上カバー６６は、ケース本体６５に取り付けたときに、ケース本体６５の外側に重なる。
【００６２】
次に上記第３実施形態の作用について説明する。図２７及び図２８に示すように、ディスク４がフロントベゼル６２のスロット６２ａから挿入されると、ディスク４の先端側がディスク支持アーム８０のホルダ８０ａに支持される。このディスク４の押込みに応じて、リンクアーム１００を伸長しながらディスク支持アーム８０がベース部８０ｂとともに、軸８２を中心にして図２８において時計方向に回転する。
【００６３】
ディスク支持アーム８０が、更に押し込まれると、ベース部８０ｂがスイッチ９２をＯＮにする。このスイッチ９２の信号に基づいて、ローディングモータ９４が回転を開始する。このローディングモータ９４の回転は、ギアトレイン９５を介してローディングスライダ９７に伝達される。ローディングスライダ９７は、フロントベゼル６２から離れる方向（後退方向）に移動する。
【００６４】
ローディングスライダ９７が後退すると、カム溝９７ｂによってリンクレバー８４のピン８４ａが押されるため、このピン８４ａがカム溝８５に沿って移動する。これにより、リンクレバー８４が移動するため、誘引アーム８１が軸８３を支点にして図２７において時計方向に揺動する。この誘引アーム８１は、その先端に取り付けたフランジ付ローラ８１ａがディスク４の後端部を押す。
【００６５】
また、ローディングスライダ９７は、カム溝９７ｃによってリンクレバー９８を図２８において時計方向に回転する。このリンクレバー９８の回転は、リンクアーム１００を介してベース部８０ｂに伝達され、ディスク支持アーム８０を図２８において時計方向に回転させる。これにより、ディスク４は、ディスク支持アーム８０と誘引アーム８１とで保持されて、ケース６１内に搬入される。
【００６６】
ディスク４が図２７に示す装填位置の直前のチャッキング位置に移動すると、ディスク４のディスク孔４ａがチャッキングヘッド７３と一致する。次に、ローディングスライダ９７に連動して昇降フレーム６８が上昇し、チャッキングヘッド７３がディスク４のディスク孔４ａに入り込み、チャッキング爪７３ａによってディスク４がチャッキングされる。ディスク４は、チャッキングヘッド７３で押し上げられた際に、上カバー６６の内壁面の突出部で受け止められる。チャッキング後に、ディスク４が上カバー６６から離れるように、昇降フレーム６８が僅かに下降する。
【００６７】
チャッキング動作中は、ディスク支持アーム８０と誘引アーム８１とが停止しているが、チャッキングが完了すると、ローディングスライダ９７の最後のストロークでディスク４から離れてその保持を解除する。このディスク支持アーム８０と誘引アーム８１とがディスク４の保持を解除するタイミングで、ローディングスライダ９７がスイッチ（図示せず）をＯＮにするから、ローディングモータ９４が停止してディスク４の搬入が終了する。
【００６８】
ディスク４のチャッキングが行われると、スピンドルモータ７１が回転する。このスピンドルモータ７１が回転すると、ターンテーブル７２とチャッキングヘッド７３とによって、ディスク４が高速回転する。このディスク４の高速回転中に、ピックアップヘッド７４がディスク４の半径方向に移動して、情報の記録又は再生が行われる。
【００６９】
ケース６１内に装填されたディスク４を搬出する場合は、フロントベゼル６２のイジェクトボタン６２ｂを操作するか、または情報機器からの指令がディスク装置６０に送られる。ディスク装置６０の制御回路（図示せず）は、まずスピンドルモータ７１を停止させ、次にローディングモータ９４を逆転させる。このローディングモータ９４の逆転により、ローディングスライダ９７がフロントベゼル６２に近づく方向（前進方向）に移動する。
【００７０】
ローディングスライダ９７の前進が開始されると、ディスク支持アーム８０と誘引アーム８１とが少し揺動して、ディスク４の外周を保持する。次に、昇降フレーム６８が下降する。この下降中に、ディスク４がチャッキング解除ピン７５で受け止められるから、ディスク４がチャッキングヘッド７３から抜き出される。昇降フレーム６８の下降後に、ディスク支持アーム８０と誘引アーム８１とが再び揺動をし、図２８に示す取り出し位置までディスク４を搬出する。
【００７１】
［第４実施形態］
図３０〜図３７に、１段の段差を形成したフロントベゼル１１１を、トレイタイプのディスク装置１１０に設けた第４実施形態を示す。このフロントベゼル１１１には、イジェクトボタン１１１ａと、インジケータ１１１ｂと、エマージェンシ孔１１１ｃとが設けられている。フロントベゼル１１１以外は、第１実施形態と同様に構成されている。
【００７２】
［第５実施形態］
図３８〜図４５に、フラットなフロントベゼル１２１をトレイタイプのディスク装置１２０に設けた第５実施形態を示す。このフロントベゼル１２１には、イジェクトボタン１２１ａと、インジケータ１２１ｂと、エマージェンシ孔１２１ｃとが設けられている。フロントベゼル１２１以外は、第１実施形態と同様に構成されている。
【００７３】
［第６実施形態］
図４６〜図５３に、１段の段差を形成したフロントベゼル１３１を、スロットインタイプのディスク装置１３０に設けた第６実施形態を示す。このフロントベゼル１３１には、スロット１３１ａ、イジェクトボタン１３１ｂ、インジケータ１３１ｃ、エマージェンシ孔１３１ｄが設けられている。フロントベゼル１３１以外は、第３実施形態と同様に構成されている。
【００７４】
［第７実施形態］
図５４〜図６１に、フラットなフロントベゼル１４１をスロットインタイプのディスク装置１４０に設けた第７実施形態を示す。このフロントベゼル１４１には、スロット１４１ａ、イジェクトボタン１４１ｂ、インジケータ１４１ｃ、エマージェンシ孔１４１ｄが設けられている。フロントベゼル１４１以外は、第３実施形態と同様に構成されている。
【００７５】
なお、上記第１実施形態では、ガイドレール及びスライドレールを設け、これらをレール収納部に収納しているが、レール収納部にスライドレールを保持する保持部を形成すれば、ガイドレールが不要となる。
【００７６】
また、上記第１〜第７実施形態では、トレイユニット収納部または記録／再生ユニット収納部の厚み（高さ寸法）が９．５ｍｍであるディスク装置を例に説明したが、トレイユニット収納部または記録／再生ユニット収納部の厚み（高さ寸法）が１２．７ｍｍやその他の寸法のディスク装置であってもよく、レール収納部またはスライダ収納部や、ディスク収納部の底面の高さ位置は、ディスク装置のサイズや設計仕様によって異なるため、各実施形態で示した数値に限定されるものではない。要は、ディスク収納部の厚み（高さ寸法）＜レール収納部またはスライダ収納部の厚み（高さ寸法）＜トレイユニット収納部または記録／再生ユニット収納部の厚み（高さ寸法）という条件が満たされていればよい。
【符号の説明】
【００７７】
２，４０，６０，１１０，１２０，１３０，１４０  ディスク装置
５  トレイユニット
６，４６，６２，１１１，１２１，１３１，１４１  フロントベゼル
７，４３，６５  ケース本体
８，４４，６６  上カバー
９，４２，６１  ケース
１２  右ガイドレール
１４  右スライドレール
１７，４８  ディスクトレイ
１８，７０  記録／再生ユニット
３１，５１  トレイユニット収納部
３２，５２  レール収納部
３３，５３，１０３  ディスク収納部
９７  ローディングスライダ
１０１  記録／再生ユニット収納部
１０２  スライダ収納部
【図１】
0005505633.tif 000002
【図２】
0005505633.tif 000003
【図３】
0005505633.tif 000004
【図４】
0005505633.tif 000005
【図５】
0005505633.tif 000006
【図６】
0005505633.tif 000007
【図７】
0005505633.tif 000008
【図８】
0005505633.tif 000009
【図９】
0005505633.tif 000010
【図１０】
0005505633.tif 000011
【図１１】
0005505633.tif 000012
【図１２】
0005505633.tif 000013
【図１３】
0005505633.tif 000014
【図１４】
0005505633.tif 000015
【図１５】
0005505633.tif 000016
【図１６】
0005505633.tif 000017
【図１７】
0005505633.tif 000018
【図１８】
0005505633.tif 000019
【図１９】
0005505633.tif 000020
【図２０】
0005505633.tif 000021
【図２１】
0005505633.tif 000022
【図２２】
0005505633.tif 000023
【図２３】
0005505633.tif 000024
【図２４】
0005505633.tif 000025
【図２５】
0005505633.tif 000026
【図２６】
0005505633.tif 000027
【図２７】
0005505633.tif 000028
【図２８】
0005505633.tif 000029
【図２９】
0005505633.tif 000030
【図３０】
0005505633.tif 000031
【図３１】
0005505633.tif 000032
【図３２】
0005505633.tif 000033
【図３３】
0005505633.tif 000034
【図３４】
0005505633.tif 000035
【図３５】
0005505633.tif 000036
【図３６】
0005505633.tif 000037
【図３７】
0005505633.tif 000038
【図３８】
0005505633.tif 000039
【図３９】
0005505633.tif 000040
【図４０】
0005505633.tif 000041
【図４１】
0005505633.tif 000042
【図４２】
0005505633.tif 000043
【図４３】
0005505633.tif 000044
【図４４】
0005505633.tif 000045
【図４５】
0005505633.tif 000046
【図４６】
0005505633.tif 000047
【図４７】
0005505633.tif 000048
【図４８】
0005505633.tif 000049
【図４９】
0005505633.tif 000050
【図５０】
0005505633.tif 000051
【図５１】
0005505633.tif 000052
【図５２】
0005505633.tif 000053
【図５３】
0005505633.tif 000054
【図５４】
0005505633.tif 000055
【図５５】
0005505633.tif 000056
【図５６】
0005505633.tif 000057
【図５７】
0005505633.tif 000058
【図５８】
0005505633.tif 000059
【図５９】
0005505633.tif 000060
【図６０】
0005505633.tif 000061
【図６１】
0005505633.tif 000062